(57)【要約】【課題】無線通信システムの受信端においてｐ−ｔ−ｍ  ＭＢＭＳを処理する方法及び装置を提供する。【解決手段】方法は、ｐ−ｔ−ｍ  ＭＢＭＳ情報を載せるメッセージを専用チャンネルを介して受信端に送信するとき、該メッセージの中に、ｐ−ｔ−ｍ  ＭＢＭＳ資源を解放するように受信端に指示する指令を添付することを内容とする。【選択図】図３
2007251951.tif 000002
【特許請求の範囲】
【請求項１】
無線通信システムの受信端においてポイント・ツー・マルチポイント（ｐ−ｔ−ｍ）ＭＢＭＳ（マルチメディアブロードキャスト・マルチキャストサービス）を処理する方法であって、
ｐ−ｔ−ｍ  ＭＢＭＳ情報を載せるメッセージを専用チャンネルを介して受信端に送信するとき、該メッセージの中に、ｐ−ｔ−ｍ  ＭＢＭＳ資源を解放するように受信端に指示する指令を添付することを内容とするＭＢＭＳ処理方法。
【請求項２】
前記専用チャンネルはＤＣＣＨ（専用制御チャンネル）であることを特徴とする請求項１記載のＭＢＭＳ処理方法。
【請求項３】
前記ｐ−ｔ−ｍ  ＭＢＭＳ資源は、前記ｐ−ｔ−ｍ  ＭＢＭＳに対応するＲＢ（無線ベアラー）であることを特徴とする請求項１記載のＭＢＭＳ処理方法。
【請求項４】
前記無線通信システムは第三世代移動通信システムであることを特徴とする請求項１記載のＭＢＭＳ処理方法。
【請求項５】
前記メッセージはＭＢＭＳサービス変更情報（MBMS  modified  service  information）であることを特徴とする請求項４記載のＭＢＭＳ処理方法。
【請求項６】
前記受信端のＲＲＣ（無線資源制御）状態はCELL_DCH（セル専用チャンネル）状態であることを特徴とする請求項４記載のＭＢＭＳ処理方法。
【請求項７】
ｐ−ｔ−ｍ  ＭＢＭＳを正確に処理する、無線通信システムに用いられる通信装置であって、
通信装置の機能を実現させる制御回路と、
制御回路の中に設けられ、プログラムコードを実行して制御回路を制御する中央処理装置（ＣＰＵ）と、
ＣＰＵに結合され、プログラムコードを保存するための保存メモリーとを含み、そのうちプログラムコードは、
ｐ−ｔ−ｍ  ＭＢＭＳ情報を載せるメッセージを専用チャンネルを介して受信端に送信するとき、該メッセージの中に、ｐ−ｔ−ｍ  ＭＢＭＳ資源を解放するように受信端に指示する指令を添付するステップを含むことを内容とすることを特徴とする通信装置。
【請求項８】
前記専用チャンネルはＤＣＣＨであることを特徴とする請求項７記載の通信装置。
【請求項９】
前記ｐ−ｔ−ｍ  ＭＢＭＳ資源は、前記ｐ−ｔ−ｍ  ＭＢＭＳに対応するＲＢであることを特徴とする請求項７記載の通信装置。
【請求項１０】
前記無線通信システムは第三世代移動通信システムであることを特徴とする請求項７記載の通信装置。
【請求項１１】
前記メッセージはＭＢＭＳサービス変更情報であることを特徴とする請求項１０記載の通信装置。
【請求項１２】
前記受信端のＲＲＣ状態はCELL_DCH状態であることを特徴とする請求項１０記載の通信装置。
【請求項１３】
無線通信システムの受信端においてｐ−ｔ−ｍ  ＭＢＭＳを処理する方法であって、
受信端のＲＲＣエンティティーが専用状態にあるとき、ｐ−ｔ−ｍ  ＭＢＭＳ資源を解放するための指令を含む、ｐ−ｔ−ｍ  ＭＢＭＳ情報を載せるメッセージを第一チャンネルを介して受信端で受信することを内容とするＭＢＭＳ処理方法。
【請求項１４】
前記ｐ−ｔ−ｍ  ＭＢＭＳ資源は、前記ｐ−ｔ−ｍ  ＭＢＭＳに対応するＲＢであることを特徴とする請求項１３記載のＭＢＭＳ処理方法。
【請求項１５】
前記無線通信システムは第三世代移動通信システムであることを特徴とする請求項１３記載のＭＢＭＳ処理方法。
【請求項１６】
前記受信端のＲＲＣエンティティーの状態はCELL_DCH状態であることを特徴とする請求項１５記載のＭＢＭＳ処理方法。
【請求項１７】
前記第一チャンネルはＭＣＣＨ（ＭＢＭＳ  ｐ−ｔ−ｍ制御チャンネル）であることを特徴とする請求項１５記載のＭＢＭＳ処理方法。
【請求項１８】
前記メッセージはＭＢＭＳサービス変更情報であることを特徴とする請求項１５記載のＭＢＭＳ処理方法。
【請求項１９】
ｐ−ｔ−ｍ  ＭＢＭＳを正確に処理する、無線通信システムに用いられる通信装置であって、
通信装置の機能を実現させる制御回路と、
制御回路の中に設けられ、プログラムコードを実行して制御回路を制御するＣＰＵと、
ＣＰＵに結合され、プログラムコードを保存するための保存メモリーとを含み、そのうちプログラムコードは、
受信端のＲＲＣエンティティーが専用状態にあるとき、ｐ−ｔ−ｍ  ＭＢＭＳ資源を解放するための指令を含む、ｐ−ｔ−ｍ  ＭＢＭＳ情報を載せるメッセージを第一チャンネルを介して受信端で受信するステップを含むことを内容とすることを特徴とする通信装置。
【請求項２０】
前記ｐ−ｔ−ｍ  ＭＢＭＳ資源は、前記ｐ−ｔ−ｍ  ＭＢＭＳに対応するＲＢであることを特徴とする請求項１９記載の通信装置。
【請求項２１】
前記無線通信システムは第三世代移動通信システムであることを特徴とする請求項１９記載の通信装置。
【請求項２２】
前記受信端のＲＲＣエンティティーの状態はCELL_DCH状態であることを特徴とする請求項２１記載の通信装置。
【請求項２３】
前記第一チャンネルはＭＣＣＨであることを特徴とする請求項２１記載の通信装置。
【請求項２４】
前記メッセージはＭＢＭＳサービス変更情報であることを特徴とする請求項２１記載の通信装置。
【発明の詳細な説明】
【技術分野】
【０００１】
この発明はＭＢＭＳ（マルチメディアブロードキャスト・マルチキャストサービス）を処理する方法及び装置に関し、特に無線通信システムの受信端においてポイント・ツー・マルチポイント（ｐ−ｔ−ｍ）ＭＢＭＳを処理する方法及び装置に関する。
【背景技術】
【０００２】
第三世代移動通信技術はＷＣＤＭＡ（広帯域符号分割多元接続）を利用し、高いスペクトル利用効率、カバー率、通話品質及び高速伝送を実現させるとともに、ＱｏＳ（サービス品質）の確保、柔軟性のある双方向通信の実現、通話中断率の低減を可能にする。第三世代移動通信システムのマルチメディア機能を向上させるため、３ＧＰＰ（第三世代パートナーシッププロジェクト）は、ＭＢＭＳ（マルチメディアブロードキャスト・マルチキャストサービス）を内容とする通信プロトコルを制定している。ＭＢＭＳは、従来のＵＭＴＳ（ユニバーサル移動通信システム）ネットワーク構造で行われるｐ−ｔ−ｍデータ伝送サービスであり、ＩＰ（インターネットプロトコル）パケットを媒介として、一つのデータソースから複数のユーザーに対して同一のサービスを配信することを内容とする。
【０００３】
ＭＢＭＳについて詳しくは３ＧＰＰの関連規格を参照するが、以下に略述する。まず、ＵＭＴＳを例にすれば、第三世代移動通信システムはユーザー装置（ＵＥ）、ＵＴＲＡＮ（ＵＭＴＳ地上無線アクセスネットワーク）、及びＣＮ（コアネットワーク）からなり、所用の通信プロトコルはＡＳ（アクセスストラダム）とＮＡＳ（非アクセスストラダム）に分けられる。そのうちＡＳは、ＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（ブロードキャスト／マルチキャスト制御）など各々機能が異なるレイヤーを含む。これらレイヤーの動作はいずれも当業者に周知されているため、ここで説明を省略とする。上記コアネットワークでＭＢＭＳサービスを担当するのはＢＭ−ＳＣ（ブロードキャスト・マルチキャストサービスセンター）である。ＢＭ−ＳＣは、外部ソース（例えばコンテンツプロバイダー）からデータを受信するゲートとされる新設のネットワークノードであり、サービスの提供、発送、公表、認証、及び保存に関するパラメーターを生成し、これをＧＧＳＮ（ゲートウェイＧＰＲＳサポートノード）に送信して処理させる。ＭＢＭＳシステム構造において、ＧＧＳＮは複数のＳＧＳＮ（サービングＧＰＲＳサポートノード）に対応し、ＩＰマルチキャストトラフィックの起点として働き、ＧＴＰ（ＧＰＲＳトンネル）を介してＭＢＭＳデータをＳＧＳＮに転送する。ＳＧＳＮは複数のＲＮＣ（無線ネットワークコントローラー）に対応し、ＭＢＭＳベアラーサービスの制御を行ってパケットをユーザー側のＵＴＲＡＮに正確に送信し、サービスに加入している複数のユーザーに対して同じソースからデータを配信する。ＲＮＣは複数の基地局に対応し、ユーザーの数量に応じて基地局（ノードＢ）を介して無線資源をユーザーに配分する。そして基地局は、受信した無線データをユーザー端に発送する。
【０００４】
３ＧＰＰが制定した通信プロトコル規格によれば、ＭＢＭＳはブロードキャストモードとマルチキャストモードの両方ともサポートする。ＭＢＭＳサービスを利用しようとすれば、ユーザーはＢＭ−ＳＣに対して加入を申し込み、サービス利用規約を締結しなければならない。サービス提供フェーズ（service  provision  phase）はサービスモードによって異なる。例えば、ブロードキャストモードに属するのは、service  announcement（サービス公表）、session  start（セッション開始）、MBMS  notification（ＭＢＭＳ通告）、data  transfer（データ転送）、session  stop（セッション終了）などであり、マルチキャストモードに属するのは、subscription（申込）、service  announcement（サービス公表）、joining（加入）、session  start（セッション開始）、MBMS  notification（ＭＢＭＳ通告）、data  transfer（データ転送）、session  stop（セッション停止）、leaving（脱退）などである。ブロードキャストモードと比べ、マルチキャストモードはカスタマイズサービスを提供するため加入・脱退フェーズを追加している。加入フェーズでは、システムがユーザー認証及び料金記録を行う。上記サービス提供フェーズについては当業者に周知されているため、詳細な説明は省略とする。
【０００５】
一方、当業者に周知されているとおり、無線資源制御の視点から見れば、ユーザーデータを交換するものであるか、もしくはＲＲＣレイヤーの制御信号を交換するものであるかを問わず、すべて「論理的」なデータ交換チャンネルは、無線ベアラー（ＲＢ）で構成されている。無線ベアラー（ＲＢ）は、ユーザー端では単方向または双方向の論理データ伝送・交換チャンネルを構成し、ネットワーク端でも単方向または双方向の論理データ伝送・交換チャンネルを構成している。ユーザー端はＲＢを解放してＭＢＭＳの受信を中止できる。
【０００６】
ＭＢＭＳを配信するとき、ネットワーク端は当該ＭＢＭＳに加入しているＵＥの数量を計数プロセスで確認するうえ、対応するサービスをｐ−ｔ−ｐ（ポイント・ツー・ポイント）またはｐ−ｔ−ｍ（ポイント・ツー・マルチポイント）方式で配信する。ブロードキャストモードでは、システムはｐ−ｔ−ｍ方式でサービスデータを伝送する。それに対して、マルチキャストモードでは、システムはユーザーの数量に応じてｐ−ｔ−ｐまたはｐ−ｔ−ｍ方式を適宜に選んでサービスデータを伝送する。ｐ−ｔ−ｐ方式では、ユーザー端とＲＮＣ間は専用チャンネルでデータを交換する。すなわち、基地局が専用チャンネルを確立し、これでデータと制御信号を端末装置に送信する。それと比べてｐ−ｔ−ｍ方式では、コアネットワークがデータと制御信号を同じセルに属する複数のユーザーに同時に送信する。
【０００７】
３ＧＰＰが制定した通信プロトコルは、ＭＣＣＨ（ＭＢＭＳポイント・ツー・マルチポイント制御チャンネル）、ＭＴＣＨ（ＭＢＭＳポイント・ツー・マルチポイントトラフィックチャンネル）、ＭＳＣＨ（ＭＢＭＳポイント・ツー・マルチポイントスケジューリングチャンネル）などＭＢＭＳ関連情報を伝送するための論理チャンネルを定めている。ＭＣＣＨはコアネットワークとＵＥ間の制御信号、例えばMBMS  neighboring  cell  information（ＭＢＭＳ近隣セル情報）、MBMS  radio  bearer  information（ＭＢＭＳ無線ベアラー情報）またはMBMS  service  information（ＭＢＭＳサービス情報）を伝送する。ＭＴＣＨはＭＢＭＳデータをＵＥに伝送する。ＭＳＣＨはＭＢＭＳのスケジューリング情報をＵＥに通報する。ＵＥはスケジューリング情報に基づいてデータが伝送されるたびに受信をはじめ、データ受信状態を常時に保持する必要がない。以上の論理チャンネルはトランスポートチャンネルに属するＦＡＣＨ（フォワードアクセスチャンネル）に対応し、ＦＡＣＨは物理チャンネルに属するＳ−ＣＣＰＣＨ（二次共通制御物理チャンネル）に対応する。現在のサービス状態を把握するため、ＭＣＣＨを介してＭＢＭＳ設定・制御情報を受信する前に、ユーザー端はＳ−ＣＣＰＣＨを介してsystem  information  block  type  5（システム情報ブロックタイプ５）またはsystem  information  block  type  5bis（システム情報ブロックタイプ５ｂｉｓ）を受信し、その中からＭＣＣＨ設定の情報を取得する。
【０００８】
3GPP  TS  25.331  V6.8.0  RRC  -subclause  8.7.3によれば、ユーザー端は加入しているＭＢＭＳの状態や設定が変わるたびに通報（notification）プロセスを行い、ＵＴＲＡＮからMBMS  modified  service  information（ＭＢＭＳサービス変更情報）を受信してサービス変更の詳細を受ける。通報プロセスは更に、ユーザー端のＲＲＣ状態に応じて情報配信用のチャンネルを適宜に選択する。例えば、ユーザー端がCELL_DCH（セル専用チャンネル）状態というＲＲＣ状態にあれば、ＵＴＲＡＮはＤＣＣＨ（専用制御チャンネル）を介してＭＢＭＳサービス変更情報をユーザー端に送信する。それに対して、ユーザー端がURA_PCH（ＵＴＲＡＮ登録領域ページングチャンネル）、CELL_PCH（セルページングチャンネル）、CELL_FACH（セルフォワードアクセスチャンネル）またはアイドリングなどのＲＲＣ状態にあれば、ＭＣＣＨで情報を送信する。上記ＭＢＭＳサービス変更情報は、ユーザー端に対して実行すべき動作を指示するMBMS  required  UE  action（ＭＢＭＳに必要なＵＥ動作）という情報要素（ＩＥ）を含んでいる。
【０００９】
MBMS  required  UE  actionに載せられる指示内容は、伝送チャンネルによって異なる。例えば、ＭＣＣＨでＭＢＭＳサービス変更情報を伝送する場合、MBMS  required  UE  actionはNone、Acquire  counting  info、Acquire  counting  info-PTM  RBs  unmodified、Acquire  PTM  RB  info、Request  PTP  RB、Release  PTM  RBなどの指令を含む。そのうちRelease  PTM  RB指令は、ｐ−ｔ−ｍ  ＭＢＭＳ資源を解放するように、言い換えればｐ−ｔ−ｍ  ＭＢＭＳに対応するｐ−ｔ−ｍ  ＲＢを解放するようにユーザー端に指示するものである。それに対して、ＤＣＣＨでＭＢＭＳサービス変更情報を伝送する場合、MBMS  required  UE  actionはNone、Acquire  counting  info、Request  PTP  RB指令を含み、Release  PTM  RBを含まない。したがって、CELL_DCH状態にあるユーザー端がｐ−ｔ−ｍ  ＭＢＭＳを受信した後、ＵＴＲＡＮはユーザー端にｐ−ｔ−ｍ  ＭＢＭＳを解放させることができず、ユーザー端はｐ−ｔ−ｍ  ＭＢＭＳ放送の終了（セッション終了フェーズ）後にもシステム資源と電力システム資源と電力を費やして受信を続ける。
【発明の開示】
【発明が解決しようとする課題】
【００１０】
この発明は前述の問題を解決するため、無線通信システムの受信端においてｐ−ｔ−ｍＭＢＭＳを処理する方法及び装置を提供することを課題とする。
【課題を解決するための手段】
【００１１】
この発明は、無線通信システムの受信端においてポイント・ツー・マルチポイント（ｐ−ｔ−ｍ）ＭＢＭＳ（マルチメディアブロードキャスト・マルチキャストサービス）を処理する方法を提供する。該方法は、ｐ−ｔ−ｍ  ＭＢＭＳ情報を載せるメッセージを専用チャンネルを介して受信端に送信するとき、該メッセージの中に、ｐ−ｔ−ｍ  ＭＢＭＳ資源を解放するように受信端に指示する指令を添付することを内容とする。
【００１２】
この発明は更に、ｐ−ｔ−ｍ  ＭＢＭＳを正確に処理する、無線通信システムに用いられる通信装置を提供する。該通信装置は、通信装置の機能を実現させる制御回路と、制御回路の中に設けられ、プログラムコードを実行して制御回路を制御する中央処理装置（ＣＰＵ）と、ＣＰＵに結合され、プログラムコードを保存するための保存メモリーとを含む。そのうちプログラムコードは、ｐ−ｔ−ｍ  ＭＢＭＳ情報を載せるメッセージを専用チャンネルを介して受信端に送信するとき、該メッセージの中に、ｐ−ｔ−ｍ  ＭＢＭＳ資源を解放するように受信端に指示する指令を添付するステップを含むことを内容とする。
【００１３】
この発明は更に、無線通信システムの受信端においてｐ−ｔ−ｍ  ＭＢＭＳを処理する方法を提供する。該方法は、受信端のＲＲＣエンティティーが専用状態にあるとき、ｐ−ｔ−ｍ  ＭＢＭＳ資源を解放するための指令を含む、ｐ−ｔ−ｍ  ＭＢＭＳ情報を載せるメッセージを第一チャンネルを介して受信端で受信することを内容とする。
【００１４】
この発明は更に、ｐ−ｔ−ｍ  ＭＢＭＳを正確に処理する、無線通信システムに用いられる通信装置を提供する。該通信装置は、通信装置の機能を実現させる制御回路と、制御回路の中に設けられ、プログラムコードを実行して制御回路を制御するＣＰＵと、ＣＰＵに結合され、プログラムコードを保存するための保存メモリーとを含む。そのうちプログラムコードは、受信端のＲＲＣエンティティーが専用状態にあるとき、ｐ−ｔ−ｍ  ＭＢＭＳ資源を解放するための指令を含む、ｐ−ｔ−ｍ  ＭＢＭＳ情報を載せるメッセージを第一チャンネルを介して受信端で受信するステップを含むことを内容とする。
【発明の効果】
【００１５】
従来の技術によれば、専用チャンネルでｐ−ｔ−ｍ  ＭＢＭＳを受信する受信端、またはＲＲＣエンティティーが専用状態にあるユーザー端に関して、ｐ−ｔ−ｍ  ＭＢＭＳ情報を載せるメッセージは専用チャンネルで伝送され、同メッセージの中にはｐ−ｔ−ｍ  ＭＢＭＳ資源を解放するように指示する指令が含まれていない。そのため、受信端はｐ−ｔ−ｍ  ＭＢＭＳの受信を停止させることができず、ｐ−ｔ−ｍ  ＭＢＭＳ放送の終了後にもシステム資源と電力を費やして受信を続ける。それと比べて、本発明による第一の方法は、専用チャンネルで伝送されるメッセージの中にサービス資源の解放指令を添付し、第二の方法は、受信端のメッセージ送信請求に応じ、受信端が指名した第一チャンネルで伝送されるメッセージにサービス資源の解放指令を添付し、受信端でのｐ−ｔ−ｍ  ＭＢＭＳの受信を有効に停止させることを内容とする。両方法ともシステム資源と電力を節約できる。
【発明を実施するための最良の形態】
【００１６】
かかる方法及び装置の特徴を詳述するために、具体的な実施例を挙げ、図示を参照して以下に説明する。
【００１７】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６の中に設けられるＣＰＵ１０８は、保存装置１１０に保存されるプログラムコード１１２を実行し、これで制御回路１０６の動作を制御し、制御回路１０６の制御下で無線通信装置１００を動作させる。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４はレイヤー１の一部とみなされ、制御回路１０６はレイヤー２とレイヤー３の機能を実現させる。
【００１８】
図２を参照する。図２は図１に示すプログラムコード１１２を表す説明図である。アプリケーションレイヤー２００と、レイヤー３（２０２）と、レイヤー２（２０６）からなるプログラムコード１１２は、レイヤー１（２１８）と接続されている。アプリケーションレイヤー２００がレイヤー３の関連信号を発信するとき、レイヤー３（２０２）はバッファー２１２内の複数のＲＲＣメッセージ２０８に基づいて複数のＰＤＵ（プロトコルデータユニット）２１４を形成する。その後、レイヤー２（２０６）はＰＤＵ２１４を組み立て、レイヤー１（２１８）を介して送信先に出力する。それに反して、無線信号を受信するときは、レイヤー１（２１８）で信号を受信し、レイヤー２（２０６）で受信した信号を識別して組み立て、レイヤー３（２０２）でＰＤＵ２１４をＲＲＣ２０８に還元してバッファー２１２に保存する。無線通信装置１００はレイヤー３（２０２）で信号を送受信することで、遠隔通信チャンネルを確立・調整・解放する。
【００１９】
無線通信装置１００は望ましくは、ＭＢＭＳを受信する第三世代移動通信システムに用いられる。下記に示す本発明による方法をプログラムコード１１２のアルゴリズムとして設定してｐ−ｔ−ｍ  ＭＢＭＳを処理すれば、システム資源と電力を節約できる。
図３を参照する。図３はこの発明による第一方法のフローチャート３０である。下記方法は、無線通信システムの受信端でｐ−ｔ−ｍ  ＭＢＭＳを処理するために利用される。
ステップ３００：開始。
【００２０】
ステップ３０２：専用チャンネルでｐ−ｔ−ｍ  ＭＢＭＳ情報のメッセージを受信端に送信するとき、ｐ−ｔ−ｍ  ＭＢＭＳの資源を解放するように受信端に指示する指令をメッセージに添付する。
【００２１】
ステップ３０４：終了。
前述のとおり、ｐ−ｔ−ｍ  ＭＢＭＳを受信端に配信するとき、サービス品質を維持するため、受信端は専用チャンネルを介してｐ−ｔ−ｍ  ＭＢＭＳ制御・設定情報を載せるメッセージを継続的に受信する。受信端でのｐ−ｔ−ｍ  ＭＢＭＳ受信を止めさせるため、メッセージを受信端に送信する前、同メッセージの中にｐ−ｔ−ｍ  ＭＢＭＳ資源を解放するための指令を添付する。そうすると、受信端におけるｐ−ｔ−ｍ  ＭＢＭＳ受信を停止させ、受信端とサービス上位層の資源を有効に節約することができる。第三世代移動通信システムを例にすれば、上記受信端はCELL_DCHというＲＲＣ状態にあるＵＥ（ユーザー装置）である。ｐ−ｔ−ｍ  ＭＢＭＳの配信時、CELL_DCH状態にあるＵＥはＤＣＣＨで通報プロセスを行い、ＵＴＲＡＮはＭＢＭＳサービス変更情報を送信し、変更すべきサービスパラメーターと実行すべき動作をＵＥに通報する。ＭＢＭＳサービス変更情報を送信する前、ＵＴＲＡＮはＭＢＭＳサービス変更情報のうちMBMS  required  UE  actionというＩＥの中にRelease  PTM  RB指令を添付する。同指令は、ｐ−ｔ−ｍ  ＭＢＭＳを中止すべきときに、該ｐ−ｔ−ｍ  ＭＢＭＳに対応するｐ−ｔ−ｍ  ＲＢを解放するようにＵＥに指示し、サービスデータ受信の中止を確保する効果がある。総じていえば、上記方法はRelease  PTM  RB指令を制御メッセージに添付することで、専用チャンネルで動作する受信端におけるｐ−ｔ−ｍ  ＭＢＭＳの受信を停止させる。
【００２２】
図４を参照する。図４はこの発明による第二方法のフローチャート４０である。下記方法は、無線通信システムの受信端でｐ−ｔ−ｍ  ＭＢＭＳを処理し、受信端にｐ−ｔ−ｍ  ＭＢＭＳを解放させるために利用される。
ステップ４００：開始。
【００２３】
ステップ４０２：受信端のＲＲＣエンティティーが専用状態にあるとき、ｐ−ｔ−ｍ  ＭＢＭＳ資源を解放するための指令を含む、ｐ−ｔ−ｍ  ＭＢＭＳ情報を載せるメッセージを第一チャンネルを介して受信端で受信する。
【００２４】
ステップ４０４：終了。
上記ＲＲＣエンティティーが専用状態にある受信端は受信中の無線資源を独占的に受信する。ｐ−ｔ−ｍ  ＭＢＭＳの受信時、専用状態にある受信端は第一チャンネルを介してｐ−ｔ−ｍ  ＭＢＭＳ情報を載せるメッセージを受信する。第一チャンネルを介して伝送されるメッセージは、ｐ−ｔ−ｍ  ＭＢＭＳ資源を解放するための指令を含む。したがって、受信中のｐ−ｔ−ｍ  ＭＢＭＳを止めようとするとき、受信端は該指令に従ってｐ−ｔ−ｍ  ＭＢＭＳ資源を解放し、受信を停止させることができる。第三世代移動通信システムを例にすれば、CELL_DCH状態にあるユーザー端は、ＭＣＣＨを介してメッセージ（ＭＢＭＳサービス変更情報）を送信するようにＵＴＲＡＮに求めるとき、同メッセージの中のMBMS  required  UE  actionにはRelease  PTM  RB指令が含まれている。メッセージの中にRelease  PTM  RB指令が含まれていれば、受信端は指令に従ってｐ−ｔ−ｍ  ＭＢＭＳのｐ−ｔ−ｍ  ＲＢを解放し、サービスデータの受信を停止させることができる。上記方法はｐ−ｔ−ｍ  ＭＢＭＳの受信を有効に停止させ、システム資源と電力を節約することができる。
【００２５】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２６】
この発明は従来のメッセージに資源解放の指令を添付することを内容とする。かかる方法は当然実施可能である。
【図面の簡単な説明】
【００２７】
【図１】無線通信システムの無線通信装置のブロック図である。
【図２】図１に示すプログラムコードを表す説明図である。
【図３】この発明による第一方法のフローチャートである。
【図４】この発明による第二方法のフローチャートである。
【符号の説明】
【００２８】
１００    無線通信装置
１０２    入力装置
１０４    出力装置
１０６    制御回路
１０８    ＣＰＵ
１１０    保存装置
１１２    プログラムコード
１１４    トランシーバー
２００    アプリケーションレイヤー
２０２    レイヤー３
２０６    レイヤー２
２０８    ＲＲＣメッセージ
２１２    バッファー
２１４    ＳＤＵ
２１８    レイヤー１
【図１】
2007251951.tif 000003
【図２】
2007251951.tif 000004
【図３】
2007251951.tif 000005
【図４】
2007251951.tif 000006